(57)【要約】【課題】タブ形式の複数の画面にそれぞれ配置される複数のアイコンの配置状態を効率的にカスタマイズできるようにする。【解決手段】タブ形式の複数のタブ画面のうち選択状態にある１つのタブ画面を前記表示部に表示させるタブ画面表示ステップであって、前記複数のタブ画面はそれぞれ特定の処理が対応付けられた複数のアイコンが配置される、前記タブ画面表示ステップと、  画像処理装置は、表示部にタブ形式のタブ画面５０を表示させる。タブ画面５０に配置されているいずれかのアイコンに対し、特定の共通化操作が行われた場合、その共通化操作が行われたアイコンと同じアイコンを、他の少なくとも１つのタブ画面に配置させる。【選択図】図５
2019067085.tif 000002
【特許請求の範囲】
【請求項１】
表示部と、
入力部と、
制御部と、
を備えた表示制御装置であって、
前記制御部は、
タブ形式の複数のタブ画面のうち選択状態にある１つのタブ画面を前記表示部に表示させるタブ画面表示処理であって、前記複数のタブ画面はそれぞれ特定の処理が対応付けられた複数のアイコンが配置される、前記タブ画面表示処理と、
前記表示部に表示されている前記タブ画面に配置されている前記アイコンに対する特定の共通化操作を前記入力部を介して受け付ける共通化受付処理と、
前記共通化受付処理により前記共通化操作が受け付けられた前記アイコンと同じアイコンを、他の少なくとも１つの前記タブ画面に配置させる共通配置処理と、
を実行する表示制御装置。
【請求項２】
請求項１に記載の表示制御装置であって、
前記共通化操作は、前記入力部を介して前記アイコンを規定指示時間以上継続して指示する操作である、
表示制御装置。
【請求項３】
請求項１又は請求項２に記載の表示制御装置であって、
前記制御部は、さらに、
前記入力部を介して前記アイコンが指示された後、前記規定指示時間が経過する前に前記指示が解除された場合、前記指示されたアイコンと同じアイコンを前記他の少なくとも１つのタブ画面に配置させるか否かの問合せ画面を表示させる共通化問合せ処理、
を実行し、
前記共通化操作は、前記共通化問合せ処理により表示された問合せ画面に対する、前記指示されたアイコンと同じアイコンを前記他の少なくとも１つのタブ画面に配置させることを要求する操作である、
表示制御装置。
【請求項４】
請求項１〜請求項３のいずれか１項に記載の表示制御装置であって、
前記制御部は、さらに、
前記共通化受付処理により前記共通化操作が受け付けられた前記アイコンが、特定の機能に対応した処理が登録されていない未登録アイコンであった場合、前記入力部を介して入力される新規登録操作に従って、前記未登録アイコンに対して前記特定の機能に対応した処理を登録する新規登録処理、
を実行し、
前記共通配置処理は、前記共通化受付処理により前記共通化操作が受け付けられた前記アイコンに対して前記新規登録処理が行われた場合、前記新規登録処理により前記特定の機能に対応した処理が登録された前記アイコンと同じアイコンを前記他の少なくとも１つのタブ画面に配置させる、
表示制御装置。
【請求項５】
請求項４に記載の表示制御装置であって、
前記共通配置処理は、前記他の少なくとも１つのタブ画面のうち、前記共通化受付処理により前記共通化操作が受け付けられた前記アイコンと同じアイコンが配置されていないタブ画面に対して前記同じアイコンを配置させる、
表示制御装置。
【請求項６】
請求項１〜請求項５のいずれか１項に記載の表示制御装置であって、
前記制御部は、さらに、
前記他の少なくとも１つのタブ画面の選択操作を前記入力部を介して受け付ける他タブ受付処理、
を実行し、
前記共通配置処理は、前記他タブ受付処理によって前記選択操作が受け付けられた前記少なくとも１つのタブ画面に対して前記同じアイコンを配置させる、
表示制御装置。
【請求項７】
請求項１〜請求項５のいずれか１項に記載の表示制御装置であって、
前記共通配置処理は、前記共通化受付処理により前記共通化操作が受け付けられた前記アイコンが、特定の画像処理を含む規定機能が登録された規定機能アイコンである場合、前記複数のタブ画面のうち前記共通化操作が受け付けられたタブ画面以外の各タブ画面に対して前記同じアイコンを配置させ、
前記制御部は、さらに、
前記共通化受付処理により前記共通化操作が受け付けられた前記アイコンが前記規定機能アイコンではない場合、前記他の少なくとも１つのタブ画面の選択操作を前記入力部を介して受け付ける他タブ受付処理、
を実行し、
前記共通配置処理は、前記共通化受付処理により前記共通化操作が受け付けられた前記アイコンが前記規定機能アイコン以外である場合、前記他タブ受付処理によって前記選択操作が受け付けられた前記少なくとも１つのタブ画面に対して前記同じアイコンを配置させる、
表示制御装置。
【請求項８】
請求項１〜請求項７のいずれか１項に記載の表示制御装置であって、
前記共通配置処理は、前記他の少なくとも１つのタブ画面に対し、前記共通化受付処理により前記共通化操作が受け付けられた前記アイコンと同じ位置に、前記同じアイコンを配置させる、
表示制御装置。
【請求項９】
請求項１〜請求項８のいずれか１項に記載の表示制御装置であって、
前記制御部は、さらに、
共通配置処理により前記他の少なくとも１つのタブ画面に配置された前記同じアイコンに対し、特定の共通化画像を付加して表示させる共通化画像表示処理、
を実行する、
表示制御装置。
【請求項１０】
請求項１〜請求項９のいずれか１項に記載の表示制御装置であって、
前記制御部は、さらに、
前記共通配置処理により前記他の少なくとも１つの前記タブ画面に配置された前記同じアイコンに対し、前記同じアイコン毎に、前記同じアイコンに対応付けられている前記特定の処理が、規定した未使用時間以上実行されなかった場合、特定の低頻度処理を実行する、
表示制御装置。
【請求項１１】
表示部を備えた表示制御装置で用いられる表示制御方法であって、
タブ形式の複数のタブ画面のうち選択状態にある１つのタブ画面を前記表示部に表示させるタブ画面表示ステップであって、前記複数のタブ画面はそれぞれ特定の処理が対応付けられた複数のアイコンが配置される、前記タブ画面表示ステップと、
前記表示部に表示されている前記タブ画面に配置されている前記アイコンに対する特定の共通化操作を受け付ける共通化受付ステップと、
前記共通化受付ステップにより前記共通化操作が受け付けられた前記アイコンと同じアイコンを、他の少なくとも１つの前記タブ画面に配置させる共通配置ステップと、
を有する表示制御方法。
【請求項１２】
表示部と、
入力部と、
制御部と、
を備えた表示制御装置における前記制御部に実行させる表示制御プログラムであって、
前記制御部に、
タブ形式の複数のタブ画面のうち選択状態にある１つのタブ画面を前記表示部に表示させるタブ画面表示処理であって、前記複数のタブ画面はそれぞれ特定の処理が対応付けられた複数のアイコンが配置される、前記タブ画面表示処理と、
前記表示部に表示されている前記タブ画面に配置されている前記アイコンに対する特定の共通化操作を前記入力部を介して受け付ける共通化受付処理と、
前記共通化受付処理により前記共通化操作が受け付けられた前記アイコンと同じアイコンを、他の少なくとも１つの前記タブ画面に配置させる共通配置処理と、
を実行させる表示制御プログラム。
【発明の詳細な説明】
【技術分野】
【０００１】
本発明は、表示部に表示される画面の内容を制御する技術に関する。
【背景技術】
【０００２】
特許文献１には、タッチパネルにタブ形式の待機画面を表示させ、タブを切り替えることによって処理実行用メニューの表示内容を切り替え可能な処理実行装置が記載されている。
【０００３】
特許文献１に記載の処理実行装置では、タブ毎に、特定の処理が登録されたボタンが複数配列され、ユーザによりいずれかのボタンが選択された場合、そのボタンに登録された処理が実行される。
【先行技術文献】
【特許文献】
【０００４】
【特許文献１】特開２０１６−１５７２３２号公報
【発明の概要】
【発明が解決しようとする課題】
【０００５】
タブ形式の画面においては、各タブに配置される、特定の処理が登録された複数のアイコンの配置状態を、ユーザが効率的にカスタマイズできると便利である。
本発明は上記課題に鑑みなされたものであり、タブ形式の複数の画面にそれぞれ配置される複数のアイコンの配置状態を効率的にカスタマイズできるようにすることを目的とする。
【課題を解決するための手段】
【０００６】
本発明の表示制御装置は、表示部と、入力部と、制御部とを備える。制御部は、タブ画面表示処理と、共通化受付処理と、共通配置処理とを実行する。
タブ画面表示処理は、タブ形式の複数のタブ画面のうち選択状態にある１つのタブ画面を表示部に表示させる処理である。前記複数のタブ画面はそれぞれ、特定の処理が対応付けられた複数のアイコンが配置される。
【０００７】
共通化受付処理は、表示部に表示されているタブ画面に配置されているアイコンに対する特定の共通化操作を入力部を介して受け付ける処理である。
共通配置処理は、共通化受付処理により共通化操作が受け付けられたアイコンと同じアイコンを、他の少なくとも１つのタブ画面に配置させる処理である。
【０００８】
このような構成の表示制御装置によれば、同じアイコンを他のタブ画面にも配置させたい場合、ユーザは、その配置させたいアイコンに対して共通化操作を行うことで、そのアイコンと同じアイコンを他のタブ画面にも配置させることができる。そのため、複数のタブ画面にそれぞれ配置される複数のアイコンの配置状態を効率的にカスタマイズすることができる。
【図面の簡単な説明】
【０００９】
【図１】実施形態の画像処理装置の構成を示すブロック図である。
【図２】実施形態の画像処理装置の操作パネルを示す説明図である。
【図３】実施形態の待機画面を示す説明図である。
【図４】アイコンの共通化登録の手順を説明するための説明図である。
【図５】アイコンの共通化登録が行われた結果の一例を示す説明図である。
【図６】（ａ）は共通アイコンが登録される位置にすでに他のアイコンが登録されていた場合の登録例、（ｂ）は共通アイコンが登録させるタブ画面にすでに同じアイコンが登録されていた場合の登録例、（ｃ）は一旦仮登録をする場合の登録例、を示す説明図である。
【図７】（ａ）は使用頻度が低い共通アイコンの処理例、（ｂ）は登録確認画面、（ｃ）は削除問合せ画面、を示す説明図である。
【図８】共通アイコン登録処理の一部を示すフローチャートである。
【図９】共通アイコン登録処理の他の一部（図８の続き）を示すフローチャートである。
【図１０】共通アイコン登録処理の他の一部（図８の続き）を示すフローチャートである。
【図１１】共通アイコン登録処理の他の一部（図８の続き）を示すフローチャートである。
【図１２】頻度監視処理を示すフローチャートである。
【図１３】手動削除処理を示すフローチャートである。
【図１４】共通アイコン登録処理を示すフローチャートである。
【発明を実施するための形態】
【００１０】
以下、本発明の実施形態について、図面を参照しながら説明する。
［実施形態］
（１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１１】
画像処理装置１０は、図１に示すように、制御部１１と、記憶部１２と、表示部１３と、入力部１４と、読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１２】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１３】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１４】
記憶部１２には、後述する待機画面２５（図２参照）を含む、表示部１３に表示させる各種画面のデータが記憶されている。また、記憶部１２には、上記各機能を実行するためのプログラムや、後述する図８〜図１４に示す各処理のプログラムも記憶されている。
【００１５】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、ストップボタン９、及びタッチパネル１４ａが含まれる。タッチパネル１４ａは、表示部１３の表示デバイスにおける画像が表示される画像表示領域に配置される。
【００１６】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００１７】
なお、タッチパネル１４ａは、指示操作として接触のみ検出可能な構成であってもよいし、近接のみ検出可能な構成であってもよいし、接触及び近接の両方を検出可能な構成であってもよい。
【００１８】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００１９】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２０】
読取部１５は、イメージセンサを備え、原稿の画像を読み取り、読み取った画像の画像データを生成する。印刷部１６は、インクジェット技術や電子写真技術の印刷機構を有し、シート状の記録用紙に画像を印刷することが可能である。
【００２１】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２２】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能である。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２３】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２４】
（２）操作パネルの構成
画像処理装置１０における、不図示の筐体の一側面には、図２に示す操作パネル３が設けられている。操作パネル３には、図２に示すように、電源ボタン５と、テンキー６と、戻りボタン７と、ホームボタン８と、ストップボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００２５】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００２６】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００２７】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。ストップボタン９は、処理中の動作を停止させるためにユーザにより操作されるハードキーである。
【００２８】
（３）待機画面の説明
待機画面２５は、複数のタブを有するタブ形式の画面である。複数のタブにはそれぞれ個別にタブ画面が対応付けられている。待機画面２５には、複数のタブのうち選択状態にされている１つのタブに対応したタブ画面が表示される。待機画面２５を表示させるために必要な各種情報や、待機画面２５に対して入力部１４を介して各種入力操作が行われた場合に実行すべき処理の内容に関する情報などは、記憶部１２に記憶されている。
【００２９】
図２に示すように、待機画面２５には、最大４つのタブが表示される。なお、本実施形態では、タブの総数Ｎｔは、待機画面２５に同時に表示可能なタブの最大数である４よりも多い。図２は、待機画面２５に、第１タブ〜第ＮｔタブのＮｔ個のタブのうち、第１タブ３１、第２タブ３２、第３タブ３３及び第４タブ３４が表示されている例を示している。
【００３０】
各タブには、それぞれ、当該タブの名称が表示される。選択状態にされているタブは、他のタブとは異なる態様で表示される。図２は、タブ名が「Ｓｍｉｔｈ」の第１タブ３１が選択状態にされていて、第１タブ３１が他のタブとは異なる態様で表示されている例を示している。
【００３１】
待機画面２５には、第１タブ〜第Ｎｔタブの全Ｎｔ個のタブそれぞれに対応した第１タブ画面〜第Ｎｔタブ画面のうち、選択状態にされている１つのタブに対応したタブ画面が表示される。図２は、選択状態にされている第１タブ３１に対応付けられている第１タブ画面５０が表示されている例を示している。
【００３２】
各タブに対応付けられている各タブ画面は、複数のアイコンが配置された画面である。本実施形態では、１つのタブ画面に８個のアイコンが配置される。即ち、図２に示すように、第１タブ画面５０には、第１アイコン５１〜第８アイコン５８が配置される。各アイコンの具体的種類は、後述するように変更することができる。
【００３３】
各タブ画面に配置される各アイコンには、それぞれ、特定の処理が対応付けられている。ユーザによりいずれかのアイコンがタップされると、そのアイコンに対応付けられている特定の処理が実行される。
【００３４】
待機画面２５のタブ画面に配置可能なアイコンには、大きく分類すると、三種類のアイコンがある。具体的に、機能アイコンと、設定用アイコンと、未登録アイコンがある。機能アイコンは、画像処理装置１０が有する上記規定の複数の機能のうち何れかの機能を実行させるための、その実行対象の機能が登録されたアイコンである。つまり、機能アイコンには、登録されている機能を実現させるための、その機能に対応した処理が対応付けられている。そして、機能アイコンがタップされると、対応付けられている機能に対応した処理が実行されることによって、登録されている機能が実現される。
【００３５】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００３６】
未登録アイコンは、特定の機能に対応した処理及び設定項目等が何ら登録されていないアイコンであり、ユーザによって任意の機能アイコン或いは設定用アイコンを新規に登録することが可能なアイコンである。つまり、未登録アイコンには、任意の機能の機能アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能アイコン或いは設定用アイコンとしての新規登録が実現される。
【００３７】
機能アイコンは、さらに、規定機能アイコンと、ショートカットアイコンとの二種類に分類される。規定機能アイコンは、画像処理装置１０が有するスキャン機能、印刷機能、コピー機能、ファクス機能、ウェブサービス機能、便利ツール機能などの規定の複数の機能のうち何れかを実行させるための、その実行対象の規定の機能が登録されたアイコンである。規定機能アイコンに登録されている各種設定値は、予め決められたデフォルト値である。ただし、そのデフォルト値は、規定機能アイコンをタップして対応機能を実行させる際にユーザが確認、変更することができる。
【００３８】
ショートカットアイコンには、上記規定の複数の機能のうちいずれかをユーザが予め設定した特定の実行条件で実行させるショートカット機能が登録される。
規定機能アイコン及び設定用アイコンの少なくとも一方は、画像処理装置１０の出荷時において、少なくとも１つのタブ画面において少なくとも１つ、予め配置されていてもよい。
【００３９】
ショートカットアイコンは、基本的には、画像処理装置１０の出荷時から予め配置されているアイコンではなく、未登録アイコンに対してユーザが任意に登録操作を行うことによって、その未登録アイコンに代わって配置されるアイコンである。ただし、ショートカットアイコンも、画像処理装置１０の出荷時において、少なくとも１つのタブ画面において少なくとも１つ、予め配置されていてもよい。
【００４０】
規定機能アイコンが、各設定値の初期値が予め決められているのに対し、ショートカットアイコンについては、ユーザ自ら、実行対象の機能、及びその機能をどのような設定値で実行させるか、などについて任意に設定、登録することができる。
【００４１】
なお、未登録アイコンに対しては、任意のショートカット機能を登録してショートカットアイコンとして登録できるほか、任意の機能を登録することにより規定機能アイコンとして登録したり、任意の設定項目を登録することにより設定用アイコンとして登録したりすることもできる。
【００４２】
未登録アイコンが機能アイコン又は設定用アイコンとして登録された場合、当該未登録アイコンが配置されている位置には、当該未登録アイコンに代わって、登録された機能アイコン又は設定用アイコンが配置される。
【００４３】
図２に例示する、タブ名が「Ｓｍｉｔｈ」の第１タブ画面５０においては、第１アイコン５１はコピー機能のショートカットアイコンであり、第２アイコン５２はスキャン機能のショートカットアイコンであり、第３アイコン５３はファクス機能のショートカットアイコンである。第４アイコン５４〜第８アイコン５８は未登録アイコンである。
【００４４】
待機画面２５における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４５】
現在選択状態にされているタブのタブ画面から、他のタブのタブ画面に切り替えたい場合は、例えば、切り替え先のタブをタップすればよい。現在選択状態のタブ以外のタブをタップすると、そのタップしたタブが選択状態にされて、待機画面２５には、その新たに選択状態にされたタブに対応したタブ画面が表示される。
【００４６】
例えば、図３左上に示されているように、待機画面２５に、第１タブ３１に対応した第１タブ画面５０が表示されているとする。この状態から、例えば、タブ名が「Ｋｅｎ」の第２タブ３２をタップすると、図３右上に示すように、選択状態のタブが第１タブ３１から第２タブ３２に切り替わり、その切り替わり後の第２タブ３２に対応した第２タブ画面６０が表示される。
【００４７】
第２タブ画面６０にも、第１アイコン６１〜第８アイコン６８の８個のアイコンが表示される。第２タブ画面６０において、第１アイコン６１はコピー機能の規定機能アイコンであり、第２アイコン６２はスキャン機能のショートカットアイコンであり、第３アイコン６３は設定用アイコンである。第４アイコン６４〜第８アイコン６８は未登録アイコンである。
【００４８】
（４）共通アイコン登録機能
次に、画像処理装置１０が備える共通アイコン登録機能について説明する。共通アイコン登録機能とは、あるタブ画面に配置されているアイコンと同じアイコンを、簡単な操作で、他の少なくとも１つのタブ画面にも登録して配置させる機能である。共通アイコン登録機能は、制御部１１が、記憶部１２に格納されている図８〜図１１に示す共通アイコン登録処理を実行することにより実現される。
【００４９】
制御部１１は、起動後、図８〜図１１に示す共通アイコン登録処理を実行する。制御部１１は、共通アイコン登録処理を開始すると、Ｓ１１０で、表示部１３に待機画面２５を表示させる。Ｓ１２０では、表示されているタブ画面における何れかのアイコンがタップされたか否か判断する。なお、ここでいうタップには、いわゆる長押しと短押しの２種類がある。短押しとは、アイコンが指示体により指示された後、規定指示時間（例えば２秒）が経過する前にアイコンから指示体が離れてアイコンが指示された状態が解除されることである。長押しとは、アイコンが指示体により指示された後、規定指示時間以上経過した後にアイコンから指示体が離れてアイコンが指示された状態が解除されることである。
【００５０】
Ｓ１２０で、アイコンがタップされていない場合は、Ｓ３１０（図９参照）に移行する。Ｓ３１０では、いずれかのタブが長押しされたか否か判断する。いずれかのタブが長押しされた場合は、Ｓ３２０に移行する。Ｓ３２０では、長押しされたタブに対応するタブ画面のアイコン一括登録モードを有効に設定する。アイコン一括登録モードは、タブ画面毎に個別に有効又は無効に設定される。各タブ画面のアイコン一括登録モードの初期値は、例えば無効である。
【００５１】
Ｓ３３０では、長押しされたタブのタブ色を変更する。即ち、アイコン一括登録モードが無効に設定されているタブとの違いを視覚的に識別できるようにする。なお、タブの色変更することに限定されるものではなく、例えば、タブの大きさを変えたり、タブに模様を付加したりするなどの、他の手法を採用してもよい。
【００５２】
図４左上の待機画面２５は、複数のタブのうち、タブ名が「Ｋｅｎ」の第２タブ３２と、タブ名が「Ｒａｙ」の第４タブ３４が、長押しされたことによってＳ３３０の処理によりタブ色が変更されている例を示している。Ｓ３３０の処理後は、Ｓ１１０に移行する。
【００５３】
Ｓ３１０で、いずれのタブも長押しされていない場合は、Ｓ３４０に移行する。Ｓ３４０では、操作パネル３に設けられているストップボタン９が押下されたか否か判断する。ストップボタン９が押下されていない場合はＳ１１０に移行する。ストップボタン９が押下された場合は、Ｓ３５０に移行する。
【００５４】
Ｓ３５０では、アイコン一括登録モードが有効に設定されているタブ画面があるか否か判断する。アイコン一括登録モードが有効に設定されているタブ画面がない場合はＳ１１０に移行する。アイコン一括登録モードが有効に設定されているタブ画面がある場合は、Ｓ３６０に移行する。
【００５５】
Ｓ３６０では、アイコン一括登録モードが有効に設定されているタブ画面に対し、アイコン一括登録モードを無効に設定する。さらに、Ｓ３７０で、Ｓ３６０でアイコン一括登録モードを無効に設定したタブ画面のタブ色をクリアする。即ち、Ｓ３３０で変更される前の元の色に戻す。Ｓ３７０の処理後はＳ１１０に移行する。
【００５６】
図８に戻り、Ｓ１２０でいずれかのアイコンがタップされた場合は、Ｓ１３０で、アイコンがタップされたときの具体的な操作内容が長押しであったか否か判断する。なお、Ｓ１３０以降の説明においては、Ｓ１２０でタップされたアイコンのことを「共通化元アイコン」とも称する。また、Ｓ１３０以降の説明においては、一例として、第１タブ画面５０における第５アイコン５５がタップされて共通化元アイコンになっていること、を想定して、適宜補足説明を行う。
【００５７】
Ｓ１３０で、長押しではない場合、即ち短押しであった場合は、Ｓ１９０に移行する。Ｓ１９０では、問合せ画面表示設定が有効に設定されているか否か判断する。
問合せ画面表示設定とは、アイコンが短押しされた場合に共通化問合せ画面８５（図４下参照）を表示させるか否かの設定である。問合せ画面表示設定が無効に設定されている場合はアイコンが短押しされた場合に共通化問合せ画面８５を表示させない。問合せ画面表示設定が有効に設定されている場合は、アイコンが短押しされたときにＳ２００で共通化問合せ画面８５を表示させる。
【００５８】
共通化問合せ画面８５は、図４に示すように、ユーザに対し、短押しされた共通化元アイコンと同じアイコンを共通アイコンとして他のタブ画面にも登録するかどうかを問う画面である。ユーザは、共通化問合せ画面８５を介して、短押しした共通化元アイコンと同じアイコンを他のタブ画面にも登録させるか否かを指定できる。
【００５９】
なお、共通化問合せ画面８５には、非表示確認チェックボックス８６が表示される。ユーザは、この非表示確認チェックボックス８６をチェックすることで、次回以降再びアイコンを短押ししたときに共通化問合せ画面８５が表示されないようにすることができる。
【００６０】
共通化問合せ画面８５には、「はい」ボタンと「いいえ」ボタンが表示され、ユーザはいずれかのボタンをタップできる。何れかのボタンがタップされると、本処理はＳ２１０に進む。
【００６１】
Ｓ２１０では、問合せ画面表示の無効要求があるか否か、即ち、共通化問合せ画面８５においていずれかのボタンがタップされたときに非表示確認チェックボックス８６がチェックされていたか否か判断する。非表示確認チェックボックス８６がチェックされていなかった場合、即ち問合せ画面表示の無効要求がない場合は、Ｓ２３０に移行する。非表示確認チェックボックス８６がチェックされていた場合、即ち問合せ画面表示の無効要求がある場合は、Ｓ２２０に移行する。
【００６２】
Ｓ２２０では、問合せ画面表示設定を無効に設定する。これにより、次回Ｓ１９０の判断処理が行われた場合、Ｓ２００には進まず、共通化問合せ画面８５は表示されない。
Ｓ２３０では、短押しされた共通化元アイコンに対する、共通アイコンの登録の要求がなされているか否か、即ち共通化問合せ画面８５において「はい」ボタンがタップされたか否か判断する。共通アイコンの登録の要求がなされていない場合、即ち「いいえ」ボタンがタップされた場合は、Ｓ２４０に移行する。
【００６３】
Ｓ２４０では、短押しされたアイコンが未登録アイコンであるか否か判断する。短押しされたアイコンが未登録アイコンである場合は、Ｓ２５０に移行する。Ｓ２５０では、現在表示されているタブ画面におけるその短押しされた未登録アイコンに対する、ショートカット機能の登録処理を行う。
【００６４】
ショートカット機能の登録処理は、例えば、まず図４右上に示す登録機能選択画面８０を表示させて、登録させたい機能をユーザに選択させる。図４右上に示す登録機能選択画面８０には、共通化登録メッセージ８１が表示されている。この共通化登録メッセージ８１は、これから新規登録するショートカットアイコンが共通アイコンとして他のタブ画面にも登録される場合に表示されるメッセージである。他のタブ画面に同じ共通アイコンが登録されない通常のショートカット登録の場合には、共通化登録メッセージ８１は表示されない。ユーザは、登録機能選択画面８０において、共通化登録メッセージ８１が表示されているか否かを確認することで、通常のショートカット登録であるか否かを認識することができる。
【００６５】
登録機能選択画面８０において機能が選択されたら、その選択された機能のショートカット機能を登録するための不図示の登録画面を表示させ、その登録画面に対してユーザにより入力される各種の新規登録操作に従って登録する。なお、不図示の登録画面においても、共通化登録メッセージ８１が表示されてもよい。
【００６６】
Ｓ２５０の処理により、短押しされた未登録アイコンが、いずれかの機能のショートカットアイコンとして登録される。Ｓ２５０の処理後はＳ１１０に移行する。
Ｓ２４０で、短押しされたアイコンが未登録アイコンではない場合は、Ｓ２６０に進む。Ｓ２６０では、短押しされたアイコンに対応付けられている機能を実行、即ちそのアイコンに対応付けられている特定の機能に対応した処理を実行する。Ｓ２６０の処理後は、Ｓ１１０に移行する。
【００６７】
Ｓ２３０で共通アイコンとしての登録の要求がなされた場合、及びＳ１３０で、長押しであった場合は、Ｓ１４０に移行する。Ｓ１４０では、タップされた共通化元アイコンが未登録アイコンであるか否か判断する。タップされた共通化元アイコンが未登録アイコンではない場合は、Ｓ１７０に移行する。タップされた共通化元アイコンが未登録アイコンである場合は、Ｓ１５０に移行する。
【００６８】
Ｓ１５０では、Ｓ２５０と同様に、現在表示されているタブ画面におけるそのタップされた未登録アイコンに対する、ショートカット機能の登録処理を行う。Ｓ１６０では、Ｓ１５０で登録されたショートカットアイコンに、共通マーク９０を表示する。
【００６９】
図５左上は、共通化元アイコンである第５アイコン５５がショートカットアイコンとして登録され、且つ共通マーク９０が付加されている例を示している。この共通マーク９０により、ユーザは、新規登録したショートカットアイコンが共通化元アイコンであること、即ちこのアイコンと同じアイコンが他の何れか１つ以上のタブ画面にも共通アイコンとして登録されていること、を視認できる。
【００７０】
Ｓ１７０では、各タブ画面のアイコン一括登録モードの設定値を取得する。その取得結果に基づき、Ｓ１８０では、アイコン一括登録モードが有効に設定されているタブ画面があるか否か判断する。アイコン一括登録モードが有効に設定されているタブ画面がない場合、即ちいずれのタブも長押しされることなくアイコンがタップされてＳ１４０以降の処理を経てＳ１８０の処理に至っている場合は、Ｓ４１０（図１０参照）に移行する。
【００７１】
なお、Ｓ４１０に進んだ場合は、後述するＳ４８０で否定判定される場合を除き、原則的には、共通化元アイコンに対応したタブ画面以外の全てのタブ画面に、共通化元アイコンと同じアイコンが共通アイコンとして登録される。
【００７２】
Ｓ４１０では、各タブ画面のうち次のタブ画面のタブ情報を取得する。「次のタブ画面」とは、各タブ画面のうち、このＳ４１０でタブ情報をまだ取得していないタブ画面の１つである。また、ここで取得するタブ情報には、少なくとも、共通化元アイコンと同じアイコンが共通アイコンとして登録されているか否かを示す情報が含まれる。
【００７３】
Ｓ４２０では、Ｓ４１０で取得したタブ情報に基づき、共通化元アイコンが配置されているタブ画面以外の全てのタブ画面に対する同じ共通アイコンの登録処理が完了しているか否か判断する。まだ共通アイコンが登録されていないタブ画面がある場合は、Ｓ４３０に移行する。Ｓ４３０では、Ｓ４１０で取得したタブ情報に対応したタブ画面を処理対象として、その処理対象のタブ画面内に、共通化元アイコンと同じ内容のアイコンがすでに配置されているか否か判断する。なお、「同じ内容のアイコン」あるいは単に「同じアイコン」とは、登録されている処理の内容が同じであって、タップされたときに同じ処理が実行されるアイコンであることを意味する。
【００７４】
処理対象のタブ画面に共通化元アイコンと同じアイコンがすでにある場合は、Ｓ４４０に進む。Ｓ４４０では、その同じアイコンを共通アイコンとして設定し、共通マーク９０を表示させる。Ｓ４４０の処理後は、Ｓ４１０に移行する。
【００７５】
Ｓ４４０の処理が実行される具体例を図６（ｂ）を用いて説明する。処理対象のタブ画面が、タブ名が「Ｋｅｎ」の第２タブ画面６０であるとする。そして、その第２タブ画面６０には、第８アイコン６８として、すでに、共通化元アイコンと同じアイコンが登録されていたとする。このような場合、タブ名が「Ｋｅｎ」の第２タブ画面６０には、共通化元アイコンと同じ第５アイコン６５の位置に新たに同じアイコンは登録されず、既に第８アイコン６８として登録されている同じアイコンが、共通化アイコンとして設定される。そして、その第８アイコン６８に、共通マーク９０が付加される。
【００７６】
Ｓ４３０で、処理対象のタブ画面に共通化元アイコンと同じアイコンがない場合は、Ｓ４５０に移行する。Ｓ４５０では、処理対象のタブ画面において共通化元アイコンと同じ登録場所が空いているかどうか、即ち共通化元アイコンと同じ位置のアイコンが未登録アイコンであるか否か判断する。判断する。共通化元アイコンと同じ登録場所が空いている場合は、Ｓ４６０に移行する。
【００７７】
Ｓ４６０では、その空いている同じ位置に、共通化元アイコンと同じアイコンを、共通アイコンとして登録する。さらにＳ４７０で、その登録した共通アイコンに共通マーク９０を表示する。Ｓ４７０の処理後はＳ４１０に移行する。なお、図５右上は、タブ名が「Ｋｅｎ」の第２タブ画面６０における共通化元アイコンと同じ第５アイコン６５の位置に、Ｓ４６０〜Ｓ４７０の処理によって、共通化元アイコンと同じアイコンが共通アイコンとして登録された状態を示している。
【００７８】
Ｓ４５０で、共通化元アイコンと同じ登録場所が空いていない場合は、Ｓ４８０に移行する。Ｓ４８０では、他に空いている場所があるか否か判断する。他に空いている場所がある場合は、Ｓ４９０に移行する。Ｓ４９０では、空いている場所の中で共通化元アイコンと同じ位置に一番近い場所に、共通化元アイコンと同じアイコンを共通アイコン登録する。Ｓ４９０の処理後はＳ４７０に移行し、共通マーク９０を表示させる。
【００７９】
Ｓ４８０の処理が実行される具体例を図６（ａ）を用いて説明する。処理対象のタブ画面が、タブ名が「Ｋｅｎ」の第２タブ画面６０であるとする。そして、その第２タブ画面６０における、共通化元アイコンと同じ位置の第５アイコン６５として、すでに別のアイコンが登録されていたとする。一方、第４アイコン６４、第６アイコン６６、第７アイコン６７及び第８アイコン６８は空いていたとする。このような場合、図６（ａ）に示すように、空いている４つのアイコンのうち、共通化元アイコンの位置に最も近い第６アイコン６６に、共通アイコンが登録される。そして、第６アイコン６６に共通マーク９０が付加される。
【００８０】
Ｓ４８０で、他に空いている場所がない場合、即ち、例えば未登録アイコンが１つもなく全てのアイコンが機能アイコンまたは設定アイコンである場合は、Ｓ５００に移行する。Ｓ５００では、処理対象のタブ画面のタブ情報に、登録不可情報を付加する。登録不可情報は、空きがなかったことにより共通アイコンを登録できなかったことを示す情報である。Ｓ５００の処理後はＳ４１０に移行する。
【００８１】
Ｓ４２０で、各タブ画面への共通アイコンの登録が完了している場合は、Ｓ５１０に移行する。Ｓ５１０では、各タブ画面の各タブ情報のうち、登録不可情報が付加されたタブ情報があるか否か判断する。登録不可情報が付加されたタブ情報がない場合は、Ｓ１１０に移行する。登録不可情報が付加されたタブ情報がある場合は、Ｓ５２０に移行する。
【００８２】
Ｓ５２０では、登録不可情報が付加されたタブ情報を有するタブ画面のタブ名を、例えば一定時間、表示する。つまり、ユーザに対し、共通アイコンを登録できなかったタブ画面があることを知らせる。Ｓ５２０の処理後はＳ１１０に移行する。
【００８３】
なお、共通アイコンを登録する場合、すぐに登録するのではなく、仮登録するようにしてもよい。そして、共通アイコンが登録された後、共通アイコンが登録されたタブ画面が初めて表示されたときに、例えば図６（ｃ）に示すように、共通アイコンとして本登録するかどうかを示す本登録確認画面９５を表示させてもよい。そして、ユーザにより本登録が要求された場合に当該タブ画面に対して共通アイコンを本登録し、本登録が要求されなかった場合は登録を無効として登録しないようにしてもよい。
【００８４】
図８のＳ１８０で、アイコン一括登録モードが有効に設定されているタブ画面が１つ以上ある場合、即ちアイコンがタップされる前にいずれか１つ以上のタブが長押しされて対応するタブ画面のアイコン一括登録モードが有効に設定されている場合は、Ｓ６１０（図１１参照）に移行する。
【００８５】
Ｓ６１０では、アイコン一括登録モードが有効に設定されているタブ画面のうち次のタブ画面のタブ情報を取得する。ここでいう「次のタブ画面」とは、アイコン一括登録モードが有効に設定されているタブ画面のうち、このＳ６１０でタブ情報をまだ取得していないタブ画面の１つである。ここで取得するタブ情報は、Ｓ４１０（図１０参照）で取得するタブ情報と同じである。
【００８６】
Ｓ６２０では、Ｓ６１０で取得したタブ情報に基づき、アイコン一括登録モードが有効に設定されている全てのタブ画面に対する、共通化元アイコンと同じ共通アイコンの登録処理が完了しているか否か判断する。まだ共通アイコンが登録されていないタブ画面がある場合は、Ｓ６３０に移行する。Ｓ６３０以降の処理、即ちＳ６３０〜Ｓ７００の各処理は、図１０におけるＳ４３０〜Ｓ５００の各処理と基本的に同じであるため、Ｓ６３０〜Ｓ７００の処理の説明は省略する。
【００８７】
Ｓ６２０で、アイコン一括登録モードが有効に設定されている全てのタブ画面に対する共通アイコンの登録処理が完了している場合は、Ｓ７１０に移行する。Ｓ７１０では、全てのタブ画面のアイコン一括登録モードを無効に設定し、Ｓ７２０に移行する。Ｓ７２０及びＳ７３０の処理は、図１０におけるＳ５１０及びＳ５２０の処理と同じであるため、説明を省略する。
【００８８】
（５）頻度監視処理
次に、図１２の頻度監視処理について説明する。頻度監視処理は、共通アイコン登録処理によって共通アイコンが登録されたものの、その共通アイコンの使用頻度が低い場合に、特定の低頻度処理を実行するように構成された処理である。
【００８９】
制御部１１は、起動後、図１２に示す頻度監視処理を実行する。制御部１１は、頻度監視処理を開始すると、Ｓ８１０で、表示部１３に待機画面２５を表示させる。なお、このＳ８１０は、実質的には図８のＳ１１０と同じ処理であり、実際には図８の共通アイコン登録処理において行われる処理であるが、説明の便宜上、図１２の頻度監視処理においても記載している。後述する図１３のＳ９１０及び図１４のＳ１０１０も同様である。
【００９０】
Ｓ８２０では、共通マークが付加されたアイコン、即ち共通アイコンが押下されたか否か判断する。共通マークが付加された共通アイコンが押下された場合は、Ｓ８６０で、その押下された共通アイコンのカウント値をクリアして、Ｓ８１０に移行する。このカウント値は、当該共通アイコンの使用頻度を示す指標であり、カウント値が大きいほど使用頻度が低いことを意味する。
【００９１】
Ｓ８２０で、共通アイコンが押下されていない場合は、Ｓ８３０に移行する。Ｓ８３０では、各共通アイコンのカウント値をインクリメントする。Ｓ８４０では、カウント値が規定の未使用時間以上となった共通アイコンがあるか否か判断する。カウント値が規定の未使用時間以上となった共通アイコンがない場合は、Ｓ８１０に移行する。カウント値が規定の未使用時間以上となった共通アイコンがある場合は、Ｓ８５０に移行する。
【００９２】
Ｓ８５０では、カウント値が規定の未使用時間以上となった共通アイコンに対する低頻度処理を行う。低頻度処理の内容は適宜決めてよく、例えば、当該共通アイコンを削除して未登録アイコンにしてもよい。また例えば、図７（ａ）に例示するように、共通アイコンのサイズを縮小して表示させ、使用頻度が低いことをユーザが視認できるようにしてもよい。
【００９３】
図７（ａ）に例示するように縮小表示した場合、その後、その共通アイコンが使用された場合は再び元のサイズに戻してもよい。或いは、その共通アイコンが使用された場合、その共通アイコンを残すかどうかをユーザに問合せ、ユーザからの指示に応じて、残すか或いは削除するようにしてもよい。また、縮小表示された後も一定期間使用されなかった場合は、その共通アイコンを削除するようにしてもよい。
【００９４】
なお、使用頻度が低い共通アイコンを整理するという観点とは逆に、共通アイコンではないアイコンの中で使用頻度が高いアイコンがある場合は、その使用頻度が高いアイコンを共通アイコンとして登録できるようにしてもよい。例えば、あるアイコンの使用頻度が高くなった場合、図７（ｂ）に示す登録確認画面１２０を表示させてもよい。そして、ユーザは、登録確認画面１２０を介して、該当するアイコンを他の全てのタブに共通アイコンとして登録させるか、共通アイコンとして登録させたいタブ画面をユーザ自身が選択して登録させるか、若しくは共通アイコンとして登録させないか、を選択でき、選択した内容に応じた処理を実行させることができてもよい。
【００９５】
（６）手動削除処理
次に、図１３の手動削除処理について説明する。手動削除処理は、登録されている共通アイコンをユーザが任意に削除することが可能な処理である。制御部１１は、起動後、図１３に示す手動削除処理を実行する。
【００９６】
制御部１１は、手動削除処理を開始すると、Ｓ９１０で、表示部１３に待機画面２５を表示させる。Ｓ９２０で、共通アイコンが長押しされたか否か判断する。共通アイコンが長押しされていない場合はＳ９１０に移行する。共通アイコンが長押しされた場合はＳ９３０に移行する。
【００９７】
Ｓ９３０では、図７（ｃ）に例示する削除問合せ画面１１０を表示させる。削除問合せ画面１１０には、全タブボタン１１１、個人タブボタン１１２、及びキャンセルボタン１１３が表示される。
【００９８】
Ｓ９４０では、削除問合せ画面１１０に表示された３つのボタン１１１〜１１３のうちどれがユーザにより押下されたか判断する。キャンセルボタン１１３が押下された場合は、Ｓ９１０に移行する。全タブボタン１１１が押下された場合は、Ｓ９５０に移行する。Ｓ９５０では、同じ共通アイコンが登録されている他の全てのタブ画面から、当該同じ共通アイコンを削除する。Ｓ９４０で、個人タブボタン１１２が押下された場合は、Ｓ９６０に移行する。Ｓ９６０では、現在表示されているタブ画面の共通アイコン、即ちユーザにより長押しされた共通アイコンのみ、削除する。
【００９９】
（７）実施形態の効果
以上説明した実施形態によれば、以下の（ａ）〜（ｆ）の効果を奏する。
（ａ）ユーザは、あるタブ画面のアイコンと同じアイコンを他のタブ画面にも共通アイコンとして登録したい場合、特定の共通化操作を行うことによって、共通アイコンを容易に登録できる。
【０１００】
そのため、ユーザは、複数のタブ画面にそれぞれ配置される複数のアイコンの配置状態を効率的にカスタマイズすることができる。
（ｂ）共通アイコンの登録は、共通化元アイコンを長押しするという容易な共通化操作によって可能である。
【０１０１】
また、アイコンを短押しした場合も、共通アイコンとしての登録を望むか否かの共通化問合せ画面８５（図４参照）を表示させて、必要に応じて共通アイコンの登録に進めることができる。逆に、アイコンが短押しされた場合に共通化問合せ画面８５が表示されないように設定することもできる。
【０１０２】
（ｃ）未登録アイコンに対して共通化操作が行われた場合、まずはその未登録アイコンに対するショートカットアイコンの登録処理が行われ、そのショートカットアイコンが他のタブ画面に共通アイコンとして登録される。そのため、ユーザは、ショートカットアイコンを新規登録する際に共通アイコンとしての登録まで効率的に行うことができる。
【０１０３】
（ｄ）共通アイコンの登録先のタブ画面に既に同じアイコンが登録されている場合は、新たに同じ共通アイコンは登録されず、既に登録されている同じアイコンが共通アイコンに設定される。そのため、１つのタブ画面に同じアイコンが複数発生することが抑制される。
【０１０４】
（ｅ）ユーザは、タブを長押しすることで、共通アイコンを登録させるタブ画面を任意に選択することができる。そのため、各タブ画面のアイコンのカスタマイズを、より効率的に行うことができる。
【０１０５】
（ｆ）共通アイコンは、基本的には、共通化元アイコンの位置と同じ位置に登録される。さらに、共通アイコンに対しては、共通マーク９０が付加される。そのため、ユーザは、配置されているアイコンが登録アイコンであるか否かを容易に認識でき、ユーザの使い勝手が向上される。
【０１０６】
なお、本実施形態において、画像処理装置１０は本発明の表示制御装置の一例に相当する。Ｓ１１０の処理は本発明のタブ画面表示処理の一例に相当する。Ｓ１３０、Ｓ２３０の処理は本発明の共通化受付処理の一例に相当する。Ｓ４６０，Ｓ４９０，Ｓ６６０，Ｓ６９０の処理は本発明の共通配置処理の一例に相当する。Ｓ２００の処理は本発明の共通化問合せ処理の一例に相当する。Ｓ１５０，Ｓ２５０の処理は本発明の新規登録処理の一例に相当する。Ｓ３１０，Ｓ３２０の処理は本発明の他タブ選択処理の一例に相当する。Ｓ４７０，Ｓ６７０の処理は本発明の共通化画像表示処理の一例に相当する。
【０１０７】
［他の実施形態］
以上、本発明の実施形態について説明したが、本発明は上述の実施形態に限定されることなく、種々変形して実施することができる。
【０１０８】
（１）共通アイコンを登録させたいアイコンの種類に応じて、共通アイコン登録の手順が異なっていてもよい。例えば、共通アイコンを登録させたいアイコンが規定機能アイコンであるかそれともショートカットアイコンであるかに応じて、異なる登録手順を採用してもよい。具体的な処理例として、図１４の共通アイコン登録処理を例示する。図１４の共通アイコン登録処理は、長押しされたアイコンが規定機能アイコンかそれともショートカットアイコンかに応じて異なる手順で共通アイコンの登録を行う処理である。
【０１０９】
制御部１１は、共通アイコン登録処理を開始すると、Ｓ１０１０で、表示部１３に待機画面２５を表示させる。Ｓ１０２０で、共通アイコンを除く、規定機能アイコン又はショートカットアイコンが長押しされたか否か判断する。規定機能アイコン及びショートカットアイコンのいずれも長押しされていない場合はＳ１０１０に移行する。規定機能アイコン又はショートカットアイコンが長押しされた場合はＳ１０３０に移行する。
【０１１０】
Ｓ１０３０では、長押しされたアイコンが規定機能アイコン及びショートカットアイコンのどちらであるか判断する。長押しされたアイコンが規定機能アイコンである場合は、Ｓ１０４０に移行する。Ｓ１０４０では、長押しされた規定機能アイコンと同じアイコンを、他の全てのタブ画面における同じ位置に、共通アイコンとして登録し、Ｓ１０１０に移行する。
【０１１１】
Ｓ１０３０で、長押しされたアイコンがショートカットアイコンである場合は、Ｓ１０５０に移行する。Ｓ１０５０では、登録タブ問合せ画面を表示させる。登録タブ問合せ画面は、長押しされたショートカットアイコンを他の全てのタブに共通アイコンとして登録させるか、共通アイコンとして登録させたいタブ画面をユーザ自身が選択して登録させるか、若しくは共通アイコンとして登録させないか、を選択できる画面であり、例えば図７（ｂ）に示した登録確認画面１２０と類似の画面である。
【０１１２】
Ｓ１０６０では、登録タブ問合せ画面に対するユーザの選択内容を判断する。ユーザにより、他の全てのタブに共通アイコンとして登録させることが選択された場合は、Ｓ１０４０に移行する。ユーザにより、キャンセル、即ち共通アイコンとして登録させないことが選択された場合は、Ｓ１０１０に移行する。ユーザにより、共通アイコンとして登録させたいタブ画面をユーザ自身が選択することが選択された場合は、Ｓ１０７０に移行する。
【０１１３】
Ｓ１０７０では、タブ選択画面を表示させる。タブ選択画面は、共通アイコンを登録させたいタブ画面を選択させるための画面である。ユーザは、タブ選択画面を介して、共通アイコンを登録させたいタブ画面を選択できる。
【０１１４】
Ｓ１０８０では、ユーザによるタブ画面の選択が完了したか否か判断する。タブ画面の選択が完了していない場合はＳ１０７０に移行する。タブ画面の選択が完了した場合は、Ｓ１０９０に移行する。Ｓ１０９０では、選択された他部画面に共通アイコンを登録し、Ｓ１０１０に移行する。
【０１１５】
（２）タブ画面の具体的構成は、適宜決めてよい。即ち、１つのタブ画面に配置可能なアイコンの数は８個以外であってもよい。また、タブ画面内においてアイコンをどのように配置するか、また各アイコンをどのような形状にするか、などについては適宜決めてよい。
【０１１６】
（３）本発明は、上記実施形態の画像処理装置１０以外の各種の表示制御装置に対して適用可能である。
（４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１１７】
９…ストップボタン、１０…画像処理装置、１１…制御部、１２…記憶部、１３…表示部、１４…入力部、１４ａ…タッチパネル、１５…読取部、１６…印刷部、１７…メディアインタフェース部、２５…待機画面、３１〜３４…タブ、５０，６０，７０…タブ画面、５１〜５８，６１〜６８，７１〜７８…アイコン、８０…登録機能選択画面、８５…共通化問合せ画面、８６…非表示確認チェックボックス、９０…共通マーク、９５…本登録確認画面、１１０…削除問合せ画面、１１１…全タブボタン、１１２…個人タブボタン、１１３…キャンセルボタン、１２０…登録確認画面。
【図１】
2019067085.tif 000003
【図２】
2019067085.tif 000004
【図３】
2019067085.tif 000005
【図４】
2019067085.tif 000006
【図５】
2019067085.tif 000007
【図６】
2019067085.tif 000008
【図７】
2019067085.tif 000009
【図８】
2019067085.tif 000010
【図９】
2019067085.tif 000011
【図１０】
2019067085.tif 000012
【図１１】
2019067085.tif 000013
【図１２】
2019067085.tif 000014
【図１３】
2019067085.tif 000015
【図１４】
2019067085.tif 000016